(57)【要約】【課題】  トレーベースの大きさを大きくせずに大きいサイズの用紙を後処理することができる用紙処理装置を提供する。【解決手段】  用紙を左右に整列するジョギングアセンブリー１７０と、ステープラー１９６が設置された用紙接触プレート１６６と、前記ステープラーの位置に一端部が位置する用紙を用紙スタッカ１３４の方へ押し出す用紙押し竿２００と、前記用紙押し竿の移動方向と反対方向に移動し用紙セットの整列を案内するトレーベース１０と、前記トレーベースは用紙のサイズによって勾配角度を異にして用紙を案内する角度調節装置とを具備する。
2005520753.tif 000002
【特許請求の範囲】
【請求項１】
用紙を左右に整列するジョギングアセンブリー１７０と、用紙接触プレート１６６と、前記用紙接触プレートにセットされた用紙を用紙スタッカ１３４の方へ押し出す用紙押し竿２００と、前記用紙押し竿の移動方向と反対方向に移動して用紙セットの整列を案内するトレーベース１０とを具備するコピー機の用紙処理装置において、前記トレーベースには勾配調節装置が設けられていることを特徴とするコピー機の用紙処理装置。
【請求項２】
前記トレーベースの勾配調節装置は、前記トレーベースを支持する支持ローラ１３０と、前記トレーベースの所定位置に前記支持ローラが陥没される陥没溝１３１からなっていることを特徴とする請求項１記載のコピー機の用紙処理装置。
【請求項３】
前記トレーベース１０の一端部は、回転リンク２１０の一端部に繋がれ、前記接触プレート１６６の面に沿って往復移動ができるよう構成され、前記回転リンクの他端部は固定軸１５０に固定され、前記固定軸を中心として所定角度程回動できるように構成されることを特徴とする請求項１または請求項２記載のコピー機の用紙処理装置。
【請求項４】
前記回転リンク２１０と連動する用紙クランプユニット１７７が設置され、前記用紙クランプユニットは、前記トレーベース１０が前記用紙スタッカ１３４の方へ移動した位置では前記用紙スタッカに積載した用紙を押すようにし、前記トレーベース１０が用紙接触プレート１６６の方に後進した位置では前記用紙スタッカから離脱され前記用紙接触プレートの方に後進するように構成されることを特徴とする請求項３記載のコピー機の用紙処理装置。
【請求項５】
前記用紙接触プレート１６６に用紙をガイドする転輪１３６を更に備えたことを特徴とする請求項１記載のコピー機の用紙処理装置。
【請求項６】
前記用紙スタッカ１３４は上下動ができるよう構成されることを特徴とする請求項１記載のコピー機の用紙処理装置。
【請求項７】
前記用紙接触プレートにセットされた用紙を前記用紙スタッカの方に押し出す前にセットされた用紙を綴じるステープラー１９６が少なくとも１個設置されることを特徴とする請求項１記載のコピー機の用紙処理装置。
【発明の詳細な説明】
【技術分野】
【０００１】
本発明は、用紙スタッカとトレー装置を含む用紙処理装置を備えたコピー機に関するもので、より詳しくは、コピー機によって印刷された用紙を後処理し用紙スタッカに移動させるトレー装置に関するものである。
【背景技術】
【０００２】
一般的に、コピー機による作業が完了し排紙される用紙は、ステープラー、ブックレットなどの後処理工程のためにトレー装置に一時的に積載された後、一連の処理工程を経て用紙スタッカに移送される。前記用紙スタッカに積載された用紙の整列状態は、トレー装置で移送されて出てくる用紙との接触、または用紙スタッカとトレー装置との間隔などによって決められる。
従来、コピー機の用紙処理装置は、一つの例として日本特開平４−３１６８９４号に開示されている。
【０００３】
本発明の説明に先立って従来の用紙処理装置を備えたコピー機の構造を図１乃至図３を参照して説明する。図１は従来の用紙処理装置が設置されたコピー機の断面図で、用紙処理装置１２を備えたコピー機の出口部分を示す。図２ａ及び図２ｂは従来のトレー装置の動作過程を区分し断面で示す。また、図３は従来のトレー装置を示す平面図である。
【０００４】
用紙処理装置のハウジング１５は、結合部１６によってコピー機１１に脱着自在に設置される。前記用紙処理装置１２は、コピー機１１の躯体と分離されず一体となるように構成することもできる。用紙処理装置１２は用紙経路ネットワーク１８を通してコピー機１１に繋がれている。用紙経路ネットワーク１８にはローラー２２及びデフレクター２４を設置した用紙経路２０，２１が含まれる。ローラー２２及びデフレクター２４は駆動部２５によって駆動される。ローラー２２によって形成された出口部２８，２８は用紙経路２０または用紙経路２１を通して複写用紙を排出する。
【０００５】
用紙経路２０，２１はそれぞれ上側用紙スタッカ３２と下側用紙スタッカ３４へ用紙を移送する。用紙経路２１の出口部にはその出口から適切な速度で複写用紙の排出が容易にできるよう半月状の波形のローラー２２を設置し、出口から複写用紙を押し出せるよう転輪３６が波状ローラ３８と一緒に設置される。
【０００６】
上側用紙スタッカ３２はハウジング１５に固定されているが、下側用紙スタッカ３４はエレベーターアッセンブリー４４によって支持されるとともに、サイドシフトプレート４５に繋がれ作動するようになっている。前記用紙スタッカ３２，３４は所定の傾きを持つよう斜めに形成され、個々の複写用紙またはステープルされた複写用紙セットを積載しやすいように構成されている。
【０００７】
エレベーターアッセンブリー４４は、トラック５１、一組のプーリー５４に巻かれたケーブル５２、及びエレベーター支持部材４８などから構成される。エレベーター支持部材４８は摺動自在にトラック５１に繋がれ、ケーブル５２の移動に対応してエレベーター支持部材４８が上下移動できるように構成されている。
【０００８】
プーリー５４はエレベーターモーター５６によって駆動され、エレベーターモーター５６及び駆動部２５の動作はコントローラー５８によってプログラムできるように制御される。
一方、トレーベース１０は一組の支持レール６２に摺動自在に固定されている。前記支持レール６２はハウジング１５の両側に固定され一組となっているが、図１の断面構造では一側の支持レール６２だけが示されている。
【０００９】
トレーベース１０は図３のごとく、金属またはプラスチックからなる長方形のプレートからなっており、移動ベース内にはチャンネル６９が用紙の搬送方向と平行に設置されている。
トレーベース１０は、トレー装置の縁と一体に形成された一個または複数個の用紙接触プレート６６と、側面プレート６８を含む位置合わせ構造部とを備えている。
【００１０】
前記位置合わせ構造部にはジョギングアッセンブリー７０が設置される。前記ジョギングアッセンブリー７０には軸７３に繋がれたホイール７２が設置されている。ホイール７２はトレーベース１０の表面と平行になるよう設置されるとともに、側面プレート６８の平面とは鋭角になるよう設置される。軸７３はコントローラー５８と繋がれたモーター７４に繋がれ、そのモーター７４はホイール７２を駆動する。
【００１１】
また、ステープリングされた用紙が入出りする時に下側用紙スタッカ３４の高さを感知するための感知装置７６がトレーベース１０の下側に設置される。感知装置７６にはクランプユニット７７及びコントローラー５８と繋がれたスイッチ７８が設置される。クランプユニット７７は所定の円弧内に拘束され、開放スイッチの位置をトリガーする第一位置と、閉鎖スイッチの位置をトリガーする第二位置間を移動する。
【００１２】
一方、図１のごとく、トレーベース１０は、スプリングにより弾支された往復駆動機構８０が用紙処理装置１２と繋がれるように構成される。前記往復駆動機構８０には回動自在のカムフォロアー８２が設置され、カムフォロアー８２はトレーベース１０の背面に繋がれている。カムフォロアー８２はスプリング８８によって弾支され、また、カム９０によって駆動される。カム９０は軸９２に固定され、軸９２はコントローラー５８と繋がれたモーター９４によって制御される。
【００１３】
前記のごとく構成される往復駆動機構８０は軸９２がカム９２の外周に対し偏心しているので、カム９０を軸９２と一緒に回転させればカムフォロアー８２及びトレーベース１０を往復運動させることができる。
【００１４】
図２ａ及び図２ｂを参照して従来の用紙処理装置の構成についてより詳しく説明する。用紙をステープルリングする機具、つまり一般的なステープラーが符号９６で示されている。
前記ステープラー９６は用紙のコーナー部分を綴じることができる位置に配置される。ステープラー９６の鉄心部分とトレーベース１０との間に用紙セットがある時、ステープリングに際しまたはその前に、ステープリングする用紙セットが押されて乱れないようにするのに十分な面積ベース（エンビル）が設けられている。ステープラー９６はトレーベース１０の後部に設置されて動作し、トレーベースと一緒に往復移動する。
【００１５】
用紙接触プレート６６がチャンネル６９に整合され挟まれているので、トレーベース１０が後方へ後退する時は用紙接触プレート６６がチャンネル６９内を自由に移動するようになる。ステープルされた用紙セットは用紙押し竿１００を利用しトレーベース１０から押し出すことができる。用紙押し竿１００の後部にはスプリングによって弾支される駆動機構１０６が繋がれ、その駆動機構１０６の構造は往復駆動機構８０の構造と似ている。駆動機構１０６にカムフォロアー１１０が設置され、そのカムフォロアー１１０にはスプリング部１１２によって弾発力が作用するように構成される。
【００１６】
カム１１４が軸９２に固定されて、カム９０がカムフォロアー８２を往復移動させるのと同時にカム１１４がカムフォロアー１１０を往復移動させるようにする。トレーベース１０の前方先端がハウジング１５の前方縁まで後退するように、または用紙押し竿１００の端部をハウジング１５の前方縁まで移動するようにカム９０，１１４が設置される。
以下、前記のように構成される用紙処理装置の作用について詳しく説明する。
【００１７】
用紙経路２０，２１の分岐点に配置されたデフレクター２４に複写用紙が移送されてくる。複写用紙をステープリングすることなくすぐに排出する場合には、デフレクター２４は駆動部２５及びコントローラー５８を利用し上側移動経路２０へ搬送する。複写用紙にステープリングなどの後処理（用紙処理）をする場合には、駆動部２５及びコントローラー５８を利用して下側移動経路２１へ複写用紙を移送する。
【００１８】
印刷された複写用紙が下側用紙経路２１の出口端部から排出されると、この用紙は下側用紙スタッカ３４及びトレーベース１０の両方の上に置かれる。つまり、複写用紙の第一部分は下側用紙スタッカ３４の上に置かれ、第二部分はトレーベース１０の上に置かれる。用紙スタッカ及びトレーベースは所定の角度程斜めになっているので、重力の作用によりトレーベースの上に置かれた複写用紙の第二部分はトレーベース１０の後方へスライドし、用紙接触プレート６６によって用紙搬送方向に位置合わせが行われる。
【００１９】
その間にコントローラー５８の信号によってモーター７４が駆動されることによって、ジョギングホイール７２が回転する。ホイール７２のジョギング作用によって入って来た複写用紙のコーナー部が用紙接触プレート６６と側面プレート６８によって決められたコーナー部に用紙を押して整列する。よって、複写用紙の端部が用紙搬送方向及びその搬送方向に対して直交する方向に複写用紙の位置合わせが行われる。
【００２０】
波状ローラー３８と転輪３６は複写用紙が用紙経路２１を出る時に、その複写用紙の速度を調整し乱れが最小限に抑えられるよう整列させる作用をする。位置合わせさせられた複写用紙は、コーナー部に配置されているステープラー９６によってステープリングされる。
【００２１】
引き続き、コントローラーを通してモーター９４を駆動させることにより、駆動機構１０６の作動で用紙押し竿１００がチャンネル６９を通して進み、トレーベース１０が往復駆動機構８０の作動で後退することによりステープリングされた用紙セットが用紙スタッカ３４へ排出される。用紙押し竿１００が進むと、用紙押し竿１００の端部がステープリングされた用紙の第二部分（下端部）に接触し、その接触部分を用紙スタッカ３４の方へ押し始めるとともにトレーベース１０と複写用紙はお互いに反対方向に移動する。
【００２２】
また、感知装置７６がトレーベース１０と一緒に後退するので、クランプユニット７７が第一位置から第二位置に回転し、スイッチ７８が開放位置へ移動する。ステープリングされた複写用紙セットの後方端部がハウジング１５の前方端部に到達したときに、この用紙セットは下側用紙スタッカ３４に落ちる。ステープリングされた複写用紙をトレーベース１０から排出する前に、コントローラー５８はモーター９４から受けた信号をエレベーターモーター５６に送り、エレベーター支持部材４８を所定距離程落下させる。
【００２３】
用紙スタッカの落下距離は、用紙スタッカ３４の上に積載されている複写用紙セットが次の複写用紙セットの落下を邪魔しないように維持される。前記用紙スタッカにステープリングなどの後処理工程を経た用紙セットが排出されると、トレーベース１０は直ちに図２ａの位置に戻る。トレーベースが元の位置に戻ると、エレベーター支持部材４８に繋がれた用紙スタッカ３４がトラック５１の作用によって上昇し始める。前記用紙スタッカ３４は上昇する前にサイドシフトプレート４５の作用によってサイドにシフトされる。
【００２４】
言い替えれば、用紙スタッカ３４がサイドシフトプレートによって側方に往復移動されるようにすることによって、ステープリングされた複写用紙が排出される時にジグザグに積載されようにし、複写用紙の分類を容易にしたり、取り扱いが容易になるようにする。用紙スタッカが上昇を続けると、用紙スタッカ３４の上に積載された複写用紙セットの上部と用紙クランプユニット７７が接触し、用紙クランプユニットが上に押し上げられスイッチ７８をオフする。スイッチ７８がオフになると、その信号がコントロールボックスに送信され引き続きコントローラー５８がエレベーターモーター５６に信号を送り、エレベーター支持部材４８の移動を停止させる。
【００２５】
前記のごとく構成される従来の用紙処理装置は、トレーベース１０が用紙スタッカ３４の方、つまりハウジング１５の前段端部の方に移動するか、ハウジング１５の後段の方に移動するかにかかわらず用紙スタッカ３４との間隔がいつも一定なので、サイズの大きい複写用紙に対し後処理作業が容易でないという欠点がある。
【００２６】
従来の用紙処理装置の問題点について図４及び図５を参照してより詳しく説明する。トレー装置を構成する要素であるトレーベース１０が用紙スタッカ３４の方に完全に突き出された状態で用紙経路を通して用紙が排出されると、トレーベース１０はその用紙を用紙接触プレート６６の方へ案内する。
【００２７】
図４のごとく、用紙１３のサイズが小さい場合には、用紙の第一部分Ａと第二部分Ｂいずれともトレーベース１０に支持されて安定した状態で用紙接触プレート６６の方へ案内されるが、図５のごとく用紙１３のサイズが大きい場合には、用紙経路を通して排出された用紙の第一部分Ａが用紙スタッカ３４の上に置かれ、かつ第二部分Ｂはトレーベース１０の上に置かれて支持される。
【００２８】
図５のごとく、用紙スタッカとトレーベースに用紙が支持されると、従来のトレー装置の構造ではトレーベース１０の外側端部分で用紙の屈曲（折り）Ｃが生じ、また前記用紙の屈曲によって用紙が用紙接触プレート６６の方へスムーズにスライドしなくなる。もちろん、トレーベース１０の突出長さを増やすことで大きいサイズ用紙を折り曲げることなく支持することができるが、この場合は装置の容積が大きくなり、従ってトレーベースの往復動作タイムが長くなって装置の効率が低下するという問題点が発生する。つまり、従来の用紙処理装置は装置の容積を小さくしながら多様なサイズの用紙、特にサイズが大きい用紙の後処理工程を円滑に処理することができないという問題点がある。
【発明の開示】
【発明が解決しようとする課題】
【００２９】
本発明は前記の問題点に鑑みて案出されたもので、サイズが小さい用紙の場合はトレーベースの角度を立てて用紙が接触プレートの方に円滑に移動するようにし、かつサイズが大きい用紙の場合はトレーベースの外側端部と用紙スタッカの間の距離が近くなるように角度を減らして用紙スタッカとトレーベース間に掛かる大きいサイズの用紙が屈曲されないようにすることでその用紙が接触プレートの方に円滑に移動されるように用紙処理装置を構成する。
【００３０】
角度調整可能な本発明のトレー装置は、図６のごとく用紙を左右に整列するジョギングアッセンブリー１７０と、少なくとも１つのステーフラー１９６及び接触プレート１６６と、前記ステープラー位置に一端部が位置する用紙を用紙スタッカ１３４の方へ押し出す用紙押し竿２００と、前記用紙押し竿の移動方向と反対方向に移動し用紙セットの整列を案内するトレーベース１０とを具備する。前記トレーベースは用紙サイズによってそのトレーベースの勾配角度調節が可能になるよう構成されることを特徴とする。
【００３１】
前記トレーベースの角度調節は、支持ローラ１３０に沿って移動するトレーベース面の決まった位置（トレーベースを支持する回転軸部分）にその支持ローラがはまり込む陥没溝１３１からなる。つまり、支持ローラの上に支持されて移動するトレーベースが用紙スタッカ１３４の方に移動している途中トレーベースに形成されている陥没溝１３１に落ちると、トレーベースの外側前方先端が所定の距離程落下するように構成する。
【００３２】
前記のごとく用紙押し竿の移動方向と反対方向に移動しながら用紙セットの整列を案内するトレーベースの勾配角度調節が可能になるよう構成することにより、大きいサイズの用紙を案内して接触プレートに整列する時は、勾配角度を減らして用紙スタッカとトレーベースとに置かれる用紙が大きく屈曲されないようにし、かつ接触プレートの方へ容易にスライドされるようにし、小さいサイズの用紙を案内して接触プレートに整列する時は、トレーベース勾配角度を立てて接触プレートの方へ用紙がより容易にスライドされるようにすることができる。
【００３３】
前記トレーベース１０の一端部は回転リンク２１０の一端部に連結され、回転リンクの他端部は固定軸１５０に連結され前記回転リンクが接触プレート面に沿って往復移動する。また、前記回転リンクの他端部にはその回転リンクと一体としてギア１２５が形成される。前記ギア１２５は駆動モーターギア１１０と噛合され前記回転リンクを回転させる。
【００３４】
一方、用紙接触プレートに用紙がガイドされる時、または用紙接触プレートで後処理された用紙を用紙押し竿２００で押して用紙スタッカ１３４に積載する時に用紙の乱れが発生することを防止するために、用紙クランプユニット１７７は回転リンク２１０に連動するようになっている。前記クランプユニット１７７が用紙スタッカに積載された用紙の端部を押している途中、後処理工程済み用紙が用紙スタッカ１３４に落ちると、つまり、トレーベース１０が完全に後進する位置にくると、クランプユニット１７７は積載された用紙の端部から離脱され、用紙接触プレートの方へ移動するよう構成される。さらに、後処理をするために用紙経路ネットワークを通して送られる用紙をガイドするためにトレーベースが外側に進むと、前記トレーベースの前進とともにクランプユニット１７７も一緒に移動し、用紙スタッカに積載された用紙の端部をプッシュして支持するように構成される。
【００３５】
また、前記用紙接触プレートに用紙を送る用紙経路ネットワークには、複写用紙を整列して送るように転輪１３６が設置される。前記のごとく構成される本発明のコピー機の用紙処理装置１２０は、従来コピー機の用紙処理装置のように、エレベーターアセンブリー及びシャフトシフトプレート装置などが設置され、上下動及び用紙スタッカの偏心移動ができるよう構成される。したがって、本発明の目的は、多様なサイズ、特に大きいサイズの用紙を用紙接触プレートにスムーズにガイドし、用紙スタッカの用紙積載状態が改善する用紙処理装置を提供することにある。
【００３６】
本発明のさらに他の目的は、トレーベースの大きさを大きくせずに大きいサイズの用紙を後処理することができる用紙処理装置を提供することにある。
本発明のさらに他の目的は、トレーベースのサイズを小さくすることで用紙後処理の能率を高める用紙処理装置を提供することにある。
【課題を解決するための手段】
【００３７】
前記の目的を達成するために、本発明のコピー機の用紙処理装置は、用紙を左右に整列するジョギングアセンブリー１７０と、用紙接触プレート１６６と、前記用紙接触プレートにセットされた用紙を用紙スタッカ１３４の方へ押し出す用紙押し竿２００と、前記用紙押し竿の移動方向と反対方向に移動して用紙セットの整列を案内するトレーベース１０とを具備するコピー機の用紙処理装置において、前記トレーベースには勾配調節装置が設けられていることを特徴とする。
【００３８】
前記トレーベースの勾配調節装置は、前記トレーベースを支持する支持ローラ１３０と、前記トレーベースの所定位置に前記支持ローラが陥没される陥没溝１３１からなる。前記トレーベース１０は回転リンク２１０の一端部と繋がれ、前記接触プレート面に沿って往復移動ができるよう構成され、前記回転リンクの他端部は固定軸１５０に固定され、前記回転リンクと一体と形成されたギア１２５が駆動モーターギア１１０と噛合されるように構成される。
【００３９】
前記回転リンク２１０と連動する用紙クランプユニット１７７が設置され、前記用紙クランプユニットは、前記トレーベース１０が前記用紙スタッカ１３４の方へ移動した位置では前記用紙スタッカに積載した用紙を押すようにし、前記トレーベース１０が用紙接触プレート１６６の方に後進した位置では前記用紙スタッカから離脱され前記用紙接触プレートの方に後進するように構成される。また、前記用紙接触プレート１６６に用紙を移送する転輪１３６がジョギングアセンブリー１７０の上に設置される。また、前記用紙スタッカ１３４は上下動ができるよう構成される。
【発明の効果】
【００４０】
本発明の用紙処理装置は、図６のように、用紙を左右に整列するジョギングアッセンブリー１７０と、ステープラー１９６及び用紙接触プレート１６６と、前記ステープラー位置に一端部が位置する用紙を用紙スタッカ１３４の方に押し出す用紙押し竿２００と、前記用紙押し竿の移動方向と反対方向に移動して用紙セットの整列を案内するトレーベース１０とを具備する。特に、前記トレーベースは用紙サイズによって立て角度を異にし、複写用紙を案内する角度調節装置を具備することによって、用紙トレーベースの大きさを大きくせずに大きいサイズの用紙を後処理することができる用紙処理装置を提供する。また、トレーベースのサイズを大きくしないことによって、トレーベースの往復運動（前進、後退）時間を減らし、用紙後処理の能率を高める効果を得ることができる。
【発明を実施するための最良の形態】
【００４１】
以下、図６乃至図１０を参照して本発明のコピー機の用紙処理装置に関する技術的構成及び作用を詳しく説明する。
【００４２】
本発明の用紙処理装置の一般的な構成、つまり用紙スタッカ１３４の上下動及び両サイドにシフトさせる装置は、本発明の目的を逸脱しない範囲内で従来の一般的な技術構成を適用することができる。従来の用紙処理装置と比べ、等しい技術構成は繰り返して説明しなく、本発明の特徴部であるトレー装置の構造及び作用について具体的に説明する。
【００４３】
図７ａのごとく本発明のトレー装置１６０は、用紙経路ネットワーク１８０を通してコピー機から複写用紙１３が送り込まれ、ステープリングなどの後処理工程を行った後、用紙スタッカ１３４に積載するように構成される。前記用紙スタッカ１３４は従来の公知技術を利用してトレー装置１６０に対して上下動及び側方に往復シフト移動ができるよう構成する。
【００４４】
前記用紙スタッカに後処理工程を経た複写用紙を積載するように送るトレー装置１６０は、用紙搬送ローラー組１２２を備え、用紙搬送ローラー組によって形成された出口部を通して複写用紙１３が送られるように構成される。前記用紙搬送ローラーを通して送られた複写用紙１３は、用紙スタッカの上部に設置された転輪１３６の上を通ってトレーベース１０に移動し、前記トレーベース１０は複写用紙１３を用紙接触プレート１６６にガイドする。前記トレーベース１０は所定の角度に傾いているので、第一部分Ａから移動されて来た複写用紙１３は、トレーベースの表面に沿って押され、第二部分Ｂが用紙接触プレート１６６の方へ移動し整列される。
【００４５】
前記用紙接触プレートに整列された複写用紙１３の幅は、図６と図１０に図示されている構造から分かるように、ジョギングアセンブリー１７０の駆動によって整列される。前記ジョギングアセンブリーは図示されていないモーターによって駆動される。
【００４６】
図７ａのごとく、前記複写用紙１３が用紙接触プレート１６６に整列され所定の枚数が集まれば、用紙接触プレート１６６の後段部に設置されたステープラー１９６により複写用紙の端部をステープリングする。前記ステープラーは一個または複数個設置することができる。
前記ステープラーによってステープリングされた複写用紙セットは図７ｂのごとく用紙押し竿２００によって複写用紙の第二部分Ｂを押されてトレーベース１０の外側端部の方へ移動させられ、それと同時にトレーベース１０は用紙接触プレートの方に後退し、複写用紙セットが用紙スタッカ１３４に積載される際に邪魔にならないように駆動する。
【００４７】
一方、用紙スタッカ１３４に積載された複写用紙が後処理工程のために移動中にある複写用紙に接触し乱れることを防止するために設置されたクランプユニット１７７はトレーベース１０と連動して駆動される。
【００４８】
図７ａのごとく、前記トレーベース１０が外側に突き出された状態、つまり後処理工程を進行させるために用紙搬送ローラー組１２２から移送される複写用紙を用紙接触プレート１６６の方へガイドするためにトレーベース１０が外側に延ばされた状態ではクランプユニット１７７が用紙スタッカ１３４に積載された複写用紙シートを押さえる。図７ｃのごとく、用紙接触プレート１６６から後処理工程が終わった（ステープリング処理された複写用紙）複写用紙セットを押し出して用紙スタッカ１３４に積載する過程、つまりトレーベース１０が後退する過程では、クランプユニット１７７が一緒に後退し、複写用紙セットの積載に邪魔にならないようにする。
【００４９】
前記クランプユニット１７７はトレーベースが後退し複写用紙セットが用紙スタッカ１３４に落下する前に一時的に後退し、積載された複写用紙シートを最大限長くプッシュしているようにすることが好ましい。つまり、図７ｂのごとくトレーベース１０が後退しても複写用紙が落下する直前まではクランプユニットが積載された複写用紙をプッシュするようにし、複写用紙セットが用紙スタッカに落ちる瞬間、クランプユニットを移動させ複写用紙積載に邪魔にならないようにする。特に、前記トレーベース１０は複写用紙のサイズの大きさによって角度調整ができるよう勾配調節装置が備えられる。
【００５０】
前記トレーベースの勾配調節装置について図６、図８、図９、図１０を参照して詳しく説明する。前記トレーベースの角度調整装置は、トレーベース１０が支持ローラ１３０と共に移動するように構成され、前記支持ローラと接触するトレーベースの所定位置に所定の深みを有する陥没溝１３１を具備する。
【００５１】
前記陥没溝１３１が具備されたトレーベースは、回転リンク２１０によって用紙接触プレート１６６の面に沿って往復移動可能に構成される。前記回転リンクは固定軸１５０を中心として時計方向または反時計方向に回転する。前記固定軸と繋がれた回転リンクにはギア１２５が一体に構成され、そのギアは図示していない駆動モーターの駆動モーターギア１１０と噛合され回転リンク２１０が所定角度で往復回転するように構成される。
【００５２】
一方、前記クランプユニット１７７は用紙トレー装置に設置されたクランプユニット支持装置１９に固定され、前記クランプユニット支持装置はスプリング７９によってクランプユニット１７７の端部が用紙スタッカ１３４の方を指向するように弾支された状態で支持軸１６に挟まれ設置されている。前記クランプユニット支持軸１６は直線状の環状リングからなるクランプユニット駆動リング４０とクランプユニット１７７の間に介在され、可動な状態でクランプユニット１７７とクランプユニット駆動リング４０を支持している。前記クランプユニット駆動リング４０は回転リンク２１０の中間部に構成された突部４１を挟むように設置される。
【００５３】
前記回転リンク２１０が時計方向に回転しトレーベース１０を完全に後退させない状態では、回転リンク２１０の中央部に設置された突部４１がクランプユニット駆動リング４０の間のスリットホーム８１を自由に移動しクランプユニット１７７を後退させないが、回転リンクが充分に後退する位置では、クランプユニット駆動リング４０の端部が突部４１にかかり、クランプユニット駆動リング４０を下方に引き寄せるので支持軸１６に固定されたクランプユニット１７７は下方に後退する。
【００５４】
さらに、用紙搬送ローラー組を通して移動してきた複写用紙を用紙接触プレート１６６にガイドするために回転リンク２１０を反時計方向に回転させると、トレーベース１０が上方（用紙スタッカの方）に移動し、クランプユニット支持装置に設置されたスプリング７９の作用によりクランプユニット１７７はすぐに元の位置に移動する。前記元の位置に移動したクランプユニットは用紙スタッカ１３４に積載している複写用紙セットを再度プッシュするように作用する。
【００５５】
本発明では、回転リンク２１０が半時計方向に回転しトレーベース１０が完全に用紙スタッカの方に突き出された時、トレーベースの下部に形成された陥没溝１３１に支持ローラ１３０がはまり込み、トレーベースが下方に所定距離程落下するようにすることによって、トレーベース１０の外側端部と用紙スタッカ１３４の表面との間隔が小さくなるように構成する。
【００５６】
前記本発明のトレーベース１０の角度調節装置は、サイズの小さい複写用紙が用紙搬送ローラーを通してトレーベースに移動してくると、支持ローラ１３０に陥没溝１３１が位置しないように駆動させ、トレーベースの傾きが変更されないようにする。一方、サイズの大きい複写用紙が用紙搬送ローラーを通してトレーベースに移動してくると、支持ローラ１３０に陥没溝１３１が位置するように、角度調節装置を駆動し、トレーベースの端部が所定距離程落下するようにする。
【００５７】
前記のごとく、複写用紙サイズによってトレーベースの角度調節ができるよう構成することによって、大きいサイズの用紙を案内し接触プレートに整列する時は用紙スタッカ１３４とトレー装置１６０に置かれた用紙面が大きく屈曲しないようにし、接触プレートの方へ容易に下がるようにし、小さいサイズの用紙を案内して接触プレートに整列する時はトレーベースの角度を立てて接触プレート方へ用紙がより容易に下がるように構成する。
【００５８】
図６の構造からわかるように、点線で示した回転リンク２１０及びトレーベース１０の位置では小さいサイズの複写用紙をガイドする位置となり、実線で示した回転リンク２１０及びトレーベース１０の位置では大きいサイズの複写用紙をガイドする位置となる。本発明の用紙処理装置のトレーベース１０の角度（勾配）調節装置は、既に公知技術で説明したコントローラー、駆動装置、位置検知センサーなどの組合せによって駆動することができるということは自明で、コピー機だけでなくデジタルプリンターなどの多様な印刷装置に適用できるように構造の変形が可能である。また、本発明ではトレーベースの勾配角度を二段のみにできる構造と説明したが、トレーベース面に支持ローラと接触される別途の突起を追加し、３段、４段などの勾配調整ができるように構成する。
【図面の簡単な説明】
【００５９】
【図１】従来の用紙処理装置が設置されたコピー機の断面図である。
【図２ａ】従来の用紙処理装置の動作過程を示す部分断面図である。
【図２ｂ】従来の用紙処理装置の動作過程を示す部分断面図である。
【図３】従来の用紙処理装置の平面図である。
【図４】従来用紙処理装置の問題点を示す断面図である。
【図５】従来用紙処理装置の問題点を示す断面図である。
【図６】本発明の用紙処理装置の概略的な構造を示す断面図である。
【図７ａ】本発明の用紙処理装置の動作過程を示す断面図である。
【図７ｂ】本発明の用紙処理装置の動作過程を示す断面図である。
【図７ｃ】本発明の用紙処理装置の動作過程を示す断面図である。
【図８】本発明の用紙処理装置の要部平面図である。
【図９】本発明の用紙処理装置の要部分解斜視図である。
【図１０】本発明の用紙処理装置の要部立体図である。
【符号の説明】
【００６０】
１０      トレーベース
１１      コピー機
１２，１２０      用紙処理装置
１５      ハウジング
２２      ローラー
２４      デフレクター
２５      駆動部
３２，３４，１３４      用紙スタッカ
３６，１３６      転輪
５６      モーター
５８      コントローラー
６６，１６６      用紙接触プレート
７０，１７０      ジョギングアセンブリー
７７，１７７      クランプユニット
７８      スイッチ
８０      往復駆動機構
８２，１１０      カムフォロアー
９６，１９６      ステープラー
１００      用紙押し竿
１３０      支持ローラ
１３１      陥没溝
２００      用紙押し竿
２１０      回転リンク
【図１】
2005520753.tif 000003
【図２ａ】
2005520753.tif 000004
【図２ｂ】
2005520753.tif 000005
【図３】
2005520753.tif 000006
【図４】
2005520753.tif 000007
【図５】
2005520753.tif 000008
【図６】
2005520753.tif 000009
【図７ａ】
2005520753.tif 000010
【図７ｂ】
2005520753.tif 000011
【図７ｃ】
2005520753.tif 000012
【図８】
2005520753.tif 000013
【図９】
2005520753.tif 000014
【図１０】
2005520753.tif 000015
【国際調査報告】
2005520753.tif 000016
2005520753.tif 000017